(57)【要約】【課題】確実に、防災・安全情報を提供することができるようにする。【解決手段】受信装置は、複数のセグメントごとに伝送される各フレームで、ｎ個（ｎは１以上の整数）の地域に対する第１の情報の配信を行う場合に、各セグメントにおいて第１の情報の配信を行う地域をまとめたグループであるエリアグループごとに、重複した地域が含まれるとともに、第１の情報の配信先の地域の順番が異なるようにして生成されたフレームを、複数のセグメントごとに受信し、第１の情報の配信先の地域に該当する場合に、フレームに含まれる第１の情報に基づいて、所定の処理を行う。本技術は、例えば、V-Lowマルチメディア放送を受信可能な受信機に適用することができる。【選択図】図１７
2016103781.tif 000002
【特許請求の範囲】
【請求項１】
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして生成された前記フレームを、前記複数のセグメントごとに受信する受信部と、
前記第１の情報の配信先の地域に該当する場合に、前記フレームに含まれる前記第１の情報に基づいて、所定の処理を行う処理部と
を備える受信装置。
【請求項２】
各エリアグループにおいて、前記第１の情報の配信先の地域の順番は、他のエリアグループに対して、ｎ個以上の地域がずらされている
請求項１に記載の受信装置。
【請求項３】
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
請求項２に記載の受信装置。
【請求項４】
前記第１の情報は、前記地域ごとの防災又は安全に関する防災安全情報であり、
前記処理部は、前記防災安全情報に基づいて、前記受信装置を起動させる
請求項３に記載の受信装置。
【請求項５】
前記３セグメントのうち、特定のセグメントでは、前記第１の情報と異なる第２の情報として、地震に関する地震動情報が配信され、
前記処理部は、前記地震動情報の配信先の地域に該当する場合、前記フレームに含まれる前記地震動情報に基づいて、前記受信装置を起動させる
請求項３に記載の受信装置。
【請求項６】
受信装置の受信方法において、
前記受信装置が、
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして生成された前記フレームを、前記複数のセグメントごとに受信し、
前記第１の情報の配信先の地域に該当する場合に、前記フレームに含まれる前記第１の情報に基づいて、所定の処理を行う
ステップを含む受信方法。
【請求項７】
各エリアグループにおいて、前記第１の情報の配信先の地域の順番は、他のエリアグループに対して、ｎ個以上の地域がずらされている
請求項６に記載の受信方法。
【請求項８】
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
請求項７に記載の受信方法。
【請求項９】
前記第１の情報は、前記地域ごとの防災又は安全に関する防災安全情報であり、
前記防災安全情報に基づいて、前記受信装置を起動させる
請求項８に記載の受信方法。
【請求項１０】
前記３セグメントのうち、特定のセグメントでは、前記第１の情報と異なる第２の情報として、地震に関する地震動情報が配信され、
前記処理部は、前記地震動情報の配信先の地域に該当する場合、前記フレームに含まれる前記地震動情報に基づいて、前記受信装置を起動させる
請求項８に記載の受信方法。
【請求項１１】
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして、前記フレームを生成する生成部と、
前記複数のセグメントごとに、前記フレームを送信する送信部と
を備える送信装置。
【請求項１２】
各エリアグループにおいて、前記第１の情報の配信先の地域の順番は、他のエリアグループに対して、ｎ個以上の地域がずらされている
請求項１１に記載の送信装置。
【請求項１３】
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
請求項１２に記載の送信装置。
【請求項１４】
前記第１の情報は、前記地域ごとの防災又は安全に関する防災安全情報である
請求項１３に記載の送信装置。
【請求項１５】
前記３セグメントのうち、特定のセグメントでは、前記第１の情報と異なる第２の情報として、地震に関する地震動情報が配信される
請求項１３に記載の送信装置。
【請求項１６】
送信装置の送信方法において、
前記送信装置が、
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして、前記フレームを生成し、
前記複数のセグメントごとに、前記フレームを送信する
ステップを含む送信方法。
【請求項１７】
各エリアグループにおいて、前記第１の情報の配信先の地域の順番は、他のエリアグループに対して、ｎ個以上の地域がずらされている
請求項１６に記載の送信方法。
【請求項１８】
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
請求項１７に記載の送信方法。
【請求項１９】
前記第１の情報は、前記地域ごとの防災又は安全に関する防災安全情報である
請求項１８に記載の送信方法。
【請求項２０】
前記３セグメントのうち、特定のセグメントでは、前記第１の情報と異なる第２の情報として、地震に関する地震動情報が配信される
請求項１８に記載の送信方法。
【発明の詳細な説明】
【技術分野】
【０００１】
本技術は、受信装置、受信方法、送信装置、及び、送信方法に関し、特に、確実に、防災・安全情報を提供することができるようにした受信装置、受信方法、送信装置、及び、送信方法に関する。
【背景技術】
【０００２】
地上テレビジョン放送が、アナログ放送からデジタル放送に移行することに伴って発生する周波数帯（空き周波数帯）を再編して新たな用途に再配分する施策が実施され、周波数の有効活用が図られている（例えば、特許文献１参照）。
【０００３】
このような空き周波数帯を利用したサービスとして、VHF-Low（V-Low）マルチメディア放送がある。ここで、V-Lowマルチメディア放送とは、VHF（Very High Frequency）帯を利用したサービスであり、各地方の都道府県からなる地方ブロックごとに、地域情報や交通情報などが提供される。
【先行技術文献】
【特許文献】
【０００４】
【特許文献１】特開２０１２−２４４４９６号公報
【発明の概要】
【発明が解決しようとする課題】
【０００５】
ところで、V-Lowマルチメディア放送においては、緊急地震速報（以下、「地震動情報」ともいう）のほかに、例えば大雨や竜巻などの局地性の高い情報（以下、「防災・安全情報」という）を提供することが求められており、このような防災・安全情報を提供する場合には、地震動情報よりも細かい地域単位で提供されることが想定されている。
【０００６】
しかしながら、防災・安全情報を地域単位で提供する場合における技術方式が確立されておらず、確実に防災・安全情報を提供するようにしたいという要請があった。
【０００７】
本技術はこのような状況に鑑みてなされたものであり、確実に、防災・安全情報を提供することができるようにするものである。
【課題を解決するための手段】
【０００８】
本技術の第１の側面の受信装置は、複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして生成された前記フレームを、前記複数のセグメントごとに受信する受信部と、前記第１の情報の配信先の地域に該当する場合に、前記フレームに含まれる前記第１の情報に基づいて、所定の処理を行う処理部とを備える受信装置である。
【０００９】
本技術の第１の側面の受信装置は、独立した装置であってもよいし、１つの装置を構成している内部ブロックであってもよい。また、本技術の第１の側面の受信方法は、上述した本技術の第１の側面の受信装置に対応する受信方法である。
【００１０】
本技術の第１の側面の受信装置、及び、受信方法においては、複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして生成された前記フレームが、前記複数のセグメントごとに受信され、前記第１の情報の配信先の地域に該当する場合に、前記フレームに含まれる前記第１の情報に基づいて、所定の処理が行われる。
【００１１】
本技術の第２の側面の送信装置は、複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして、前記フレームを生成する生成部と、前記複数のセグメントごとに、前記フレームを送信する送信部とを備える送信装置である。
【００１２】
本技術の第２の側面の送信装置は、独立した装置であってもよいし、１つの装置を構成している内部ブロックであってもよい。本技術の第２の側面の送信方法は、上述した本技術の第２の側面の送信装置に対応する送信方法である。
【００１３】
本技術の第２の側面の送信装置、及び、送信方法においては、複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして、前記フレームが生成され、前記複数のセグメントごとに、前記フレームが送信される。
【発明の効果】
【００１４】
本技術の第１の側面、及び、第２の側面によれば、確実に、防災・安全情報を提供することができる。
【００１５】
なお、ここに記載された効果は必ずしも限定されるものではなく、本開示中に記載されたいずれかの効果であってもよい。
【図面の簡単な説明】
【００１６】
【図１】本技術を適用した伝送システムの一実施の形態の構成を示す図である。
【図２】V-Lowマルチメディア放送における周波数の割り当てを示す図である。
【図３】セグメント構造の例を示す図である。
【図４】緊急時における防災・安全情報の配信の例を示す図である。
【図５】防災・安全情報に応じた自動起動の例を示す図である。
【図６】配信方式１を用いた場合の配信方法を説明する図である。
【図７】配信方式１を用いた場合における各地域での受信装置の受信状況を示す図である。
【図８】配信方式２を用いた場合の配信方法を説明する図である。
【図９】配信方式２を用いた場合における各地域での受信装置の受信状況を示す図である。
【図１０】配信方式２の問題点を説明する図である。
【図１１】配信方式２を用いた場合における各地域での受信装置の受信状況を示す図である。
【図１２】配信方式２の問題点を説明する図である。
【図１３】配信方式２を用いた場合における各地域での受信装置の受信状況を示す図である。
【図１４】配信方式３を用いた場合の配信方法を説明する図である。
【図１５】配信方式３を用いた場合における各地域での受信装置の受信状況を示す図である。
【図１６】エリアグループに属する地域群の例を示す図である。
【図１７】配信方式３の改良を用いた場合の配信方法を説明する図である。
【図１８】配信方式３の改良の具体的な運用例を説明する図である。
【図１９】配信方式３の改良の具体的な運用例を説明する図である。
【図２０】配信方式３の改良の具体的な運用例を説明する図である。
【図２１】基本的な送信装置の構成例を示す図である。
【図２２】配信方式３の改良に対応した送信装置の構成例を示す図である。
【図２３】配信方式３の改良に対応した受信装置の構成例を示す図である。
【図２４】送信処理を説明するフローチャートである。
【図２５】受信処理を説明するフローチャートである。
【図２６】セグメント０を特別に処理する場合の自動起動処理を説明するフローチャートである。
【図２７】地域判定処理を説明するフローチャートである。
【図２８】自動起動処理を説明するフローチャートである。
【図２９】コンピュータの構成例を示す図である。
【発明を実施するための形態】
【００１７】
以下、図面を参照しながら本技術の実施の形態について説明する。なお、説明は以下の順序で行うものとする。
【００１８】
１．システムの構成
２．V-Lowマルチメディア放送の概要
３．運用例
４．各装置の構成
５．各装置で実行される処理の流れ
６．コンピュータの構成
【００１９】
＜１．システムの構成＞
【００２０】
図１は、本技術を適用した伝送システムの一実施の形態の構成を示す図である。なお、システムとは、複数の装置が論理的に集合した物をいい、各構成の装置が同一筐体中にあるか、否かは問わない。
【００２１】
図１において、伝送システム１は、送信装置１０と受信装置２０から構成される。
【００２２】
送信装置１０は、例えば、コンテンツの送信（デジタル放送やデータ伝送）を行う。すなわち、送信装置１０は、例えばコンテンツとしてのビデオデータやオーディオデータ、データ放送などの送信の対象である対象データのストリームを、デジタル放送信号として、伝送路３０を介して送信（伝送）する。
【００２３】
受信装置２０は、送信装置１０から伝送路３０を介して送信されてくるデジタル放送信号を受信し、元のストリームに復元して出力する。例えば、受信装置２０は、コンテンツとしてのビデオデータやオーディオデータ、データ放送を出力する。
【００２４】
＜２．V-Lowマルチメディア放送の概要＞
【００２５】
V-Lowマルチメディア放送は、VHF帯を利用したサービスであり、各地方の都道府県からなる地方ブロックごとに、地域情報や交通情報などが提供される。図２に示すように、V-Lowマルチメディア放送では、99MHz〜108MHzのうち、99MHz〜103.5MHzと103.5MHz〜108MHzの各々９セグメントを地方ブロック単位で割り当てている。具体的には、99MHz〜103.5MHzの９セグメントは、東北地域、東海・北陸地域、及び、中国・四国地域に割り当てられている。また、103.5MHz〜108MHzの９セグメントは、北海道地域、関東・甲信越地域、近畿地域、及び、九州・沖縄地域に割り当てられている。
【００２６】
なお、９セグメントは、３セグメント形式のOFDM（Orthogonal Frequency Division Multiplexing）フレームと、１セグメント形式のOFDMフレームを組み合わせたものから構成され、ISDB-TSB（Integrated Services Digital Broadcasting - Terrestrial for Sound Broadcasting）方式により伝送される。
【００２７】
図３は、セグメント構造の例を示す図である。図３Ａにおいては、２つの３セグメント形式のOFDMフレームと、３つの１セグメント形式のOFDMフレームとが組み合わされた構造を示している。また、図３Ｂにおいては、３つの３セグメント形式のOFDMフレームが組み合わされた構造を示している。
【００２８】
ここで、図４に示すように、V-Lowマルチメディア放送では、平時は、各コンテンツプロバイダにより提供される交通情報や音楽番組等のコンテンツが放送されるが、緊急時の場合には、自治体等から要請のある、大雨・洪水情報や竜巻情報等の防災・安全情報を優先して放送する。その場合、ソフトウェア事業者やハードウェア事業者は、自治体等からの要請に応じて、防災・安全情報の配信を行う。
【００２９】
ここでは、送信装置１０が、AC（Auxiliary Channel）信号により自動起動信号を伝送する。受信装置２０は、中継局４０を介して送信装置１０から送信されてくるAC信号を受信することで、自動起動される。また、送信装置１０によって、防災・安全情報の詳細がコンテンツとして配信されるので、受信装置２０は、例えば、スピーカから音声を出力したり、表示部に文字列を表示したり、点灯部を光らせることで、防災・安全情報を受信したことをユーザに知らせることができる。
【００３０】
また、受信装置２０において、受信している地域（例えば市町村単位等の地域）をあらかじめプリセット（登録）しておくことで、特定の地域に限定して、受信装置２０を自動起動させることができる。例えば、図５に示すように、受信装置２０Ａに対してＡ市で受信していることをプリセットし、受信装置２０Ｂに対してＢ市で受信していることをプリセットし、受信装置２０Ｃに対してＣ市で受信していることをプリセットした場合を想定する。
【００３１】
この場合において、送信装置１０によって、Ａ市向けの防災・安全情報とＢ市向けの防災・安全情報が送信されたとき、受信装置２０Ａは、中継局４０を介して送信装置１０からのＡ市向けの防災・安全情報を受信して自動起動する。同様に、受信装置２０Ｂは、中継局４０を介して送信装置１０からのＢ市向けの防災・安全情報を受信して自動起動する。一方、受信装置２０Ｃは、送信装置１０からＣ市向けの防災・安全情報が送信されていないため、自動起動しないことになる。
【００３２】
このように、V-Lowマルチメディア放送では、大雨・洪水情報や竜巻情報等の防災・安全情報を伝送するために、緊急地震速報（地震動情報）の対象地域よりも細かい地域分割が行われるようにしている。
【００３３】
なお、３セグメント形式のOFDMフレームの各セグメントで伝送されるAC信号を用いて、受信装置２０を自動起動させることが可能であって、３つの３セグメント形式のOFDMフレームを用いることで、一度に最大で９つのセグメントでAC信号を伝送することが可能となる。また、受信装置２０が、スマートフォンや携帯電話機等のモバイル端末である場合や、車両に搭載される端末である場合には、GPS（Global Positioning System）により位置情報を取得することにより、受信装置２０が位置する地域において、防災・安全情報が発令（送信）されたときに、自動起動されるようにしてもよい。
【００３４】
＜３．運用例＞
【００３５】
ところで、防災・安全情報は、セグメント０，１，２の３セグメントに、それぞれ異なる情報をのせて伝送することが可能であることが規定されている。また、緊急地震速報（地震動情報）は、セグメント０のみで伝送されることが規定されている。以下、これらの規定を考慮した防災・安全情報の配信方式について説明する。
【００３６】
（配信方式１）
図６は、配信方式１を用いた場合の配信方法を説明する図である。
【００３７】
図６において、横軸は、周波数を表している。また、図中の四角は、各セグメントのOFDMフレーム（以下、単に「フレーム」とも称する）を表しており、フレームの中に記述された「Ａ」、「Ｂ」、「Ｃ」のアルファベットは、防災・安全情報の配信先の地域（都市）を表している。また、図６においては、説明の便宜上、３つのセグメントのうち、左側のセグメントを「左セグメント」と称し、中央のセグメントを「中央セグメント」と称し、右側のセグメントを「右セグメント」と称して説明する。なお、これらの関係は後述する他の図でも同様とされる。
【００３８】
図６において、送信装置１０は、左セグメントを利用してＡ市向けの防災・安全情報を配信し、中央セグメントを利用してＢ市向けの防災・安全情報を配信し、右セグメントを利用してＣ市向けの防災・安全情報を配信している。
【００３９】
この場合、図７に示すように、Ａ市で受信していることをプリセット（登録）された受信装置２０Ａと、Ｂ市で受信していることをプリセットされた受信装置２０Ｂと、Ｃ市で受信していることをプリセットされた受信装置２０Ｃは、送信装置１０から送信されてくる防災・安全情報を、中継局４０を介して受信することができる。したがって、受信装置２０Ａ乃至受信装置２０Ｃは、防災・安全情報に従い、自動起動することになる。
【００４０】
一方、Ｄ市乃至Ｌ市で受信していることをプリセットされた受信装置２０Ｄ乃至受信装置２０Ｌは、送信装置１０からの防災・安全情報を受信することができないため、自動起動することができない。
【００４１】
このように、配信方式１を用いた場合、セグメント数に対応して、最大で３つの地域（都市）には、防災・安全情報を配信することができるが、セグメント数を超える４以上の地域（都市）に対して防災・安全情報を配信することができない。
【００４２】
（配信方式２）
図８は、配信方式２を用いた場合の配信方法を説明する図である。
【００４３】
図８においては、セグメントごとに、複数のフレームが図示されているが、各セグメントでは、フレームが順次送信されていることを表している。
【００４４】
また、図８においては、各セグメントが防災・安全情報の配信を行う地域をまとめて、エリアグループとして定義している。すなわち、左セグメントにより防災・安全情報が配信される地域を、「エリアグループ１」とし、中央セグメントにより防災・安全情報が配信される地域を、「エリアグループ２」とし、右セグメントにより防災・安全情報が配信される地域を、「エリアグループ３」としている。なお、図８や以降の図では、エリアグループを識別するための数字を円で囲って、他の数字と区別できるように表している。
【００４５】
送信装置１０は、左セグメントを利用して、エリアグループ１に属する地域に対し、フレームごとに配信先の地域を変更しながら、防災・安全情報を配信する。図８の例では、左セグメントでは、エリアグループ１に属する地域１−１乃至１−４に対して、異なるフレームにより、防災・安全情報を配信している。また、中央セグメントでは、エリアグループ２に属する地域２−１乃至２−４に対して、異なるフレームにより、防災・安全情報を配信している。さらに、右セグメントでは、エリアグループ３に属する地域３−１乃至３−４に対して、異なるフレームにより、防災・安全情報を配信している。
【００４６】
この場合、図９に示すように、エリアグループ１に属する地域１−１乃至１−４で受信していることをプリセット（登録）された受信装置２０−１１乃至２０−１４は、送信装置１０から送信されてくる防災・安全情報を、中継局４０を介して受信することができる。したがって、受信装置２０−１１乃至２０−１４は、防災・安全情報に従い、自動起動することになる。
【００４７】
また、エリアグループ２に属する地域２−１乃至２−４で受信していることをプリセットされた受信装置２０−２１乃至２０−２４は、送信装置１０から送信されてくる防災・安全情報を、中継局４０を介して受信することができる。したがって、受信装置２０−２１乃至２０−２４は、防災・安全情報に従い、自動起動することになる。
【００４８】
また、エリアグループ３に属する地域３−１乃至３−４で受信していることをプリセットされた受信装置２０−３１乃至２０−３４は、送信装置１０から送信されてくる防災・安全情報を、中継局４０を介して受信することができる。したがって、受信装置２０−３１乃至２０−３４は、防災・安全情報に従い、自動起動することになる。
【００４９】
このように、配信方式２を用いた場合、エリアグループを定義することで、各エリアグループに属する地域に対し、エリアグループに対応したセグメントを利用して、フレームごとに配信先の地域を変更しながら、防災・安全情報を配信することが可能となるので、全ての地域（都市）に対して防災・安全情報を配信することができる。
【００５０】
（配信方式２の問題点）
しかしながら、配信方式２を用いた場合、次の問題点が想定される。すなわち、図１０に示すように、ワンセグメント放送に対応した受信装置２０において、例えば左セグメントのみを受信している場合、中央セグメントと右セグメントは受信していないため、エリアグループ２とエリアグループ３に属する地域に対して配信される防災・安全情報を受信することができない。
【００５１】
この場合、図１１に示すように、エリアグループ１に属する地域１−１乃至１−４で受信していることがプリセット（登録）され、かつ、左セグメントのみを受信している受信装置２０−１１乃至２０−１４は、送信装置１０から送信されてくる防災・安全情報を、中継局４０を介して受信することができる。したがって、受信装置２０−１１乃至２０−１４は、防災・安全情報に従い、自動起動することになる。
【００５２】
また、エリアグループ２に属する地域２−１乃至２−４で受信していることがプリセットされ、かつ、左セグメントのみを受信している受信装置２０−２１乃至２０−２４は、送信装置１０から送信されてくる防災・安全情報を、中継局４０を介して受信することができないため、自動起動することができない。同様に、エリアグループ３に属する地域３−１乃至３−４で受信していることがプリセットされ、かつ、左セグメントのみを受信している受信装置２０−３１乃至２０−３４は、送信装置１０から送信されてくる防災・安全情報を、中継局４０を介して受信することができないため、自動起動することができない。
【００５３】
このように、配信方式２を用いた場合、ワンセグメント放送に対応した受信装置２０においては、防災・安全情報を受信することができない場合がある。
【００５４】
また、図１２に示すように、受信装置２０において、防災・安全情報を受信中に、地震動情報（緊急地震速報）が割り込んだ場合、例えば中央セグメントが地震動情報により占有されるため、エリアグループ２に属する地域に対して、防災・安全情報を配信することができない。
【００５５】
この場合、図１３に示すように、エリアグループ１に属する地域１−１乃至１−４で受信していることがプリセット（登録）されている、受信装置２０−１１乃至２０−１４は、送信装置１０から送信されてくる防災・安全情報を、中継局４０を介して受信することができる。したがって、受信装置２０−１１乃至２０−１４は、防災・安全情報に従い、自動起動することになる。
【００５６】
また、エリアグループ２に属する地域２−１乃至２−４で受信していることがプリセットされている、受信装置２０−２１乃至２０−２４は、送信装置１０から送信されてくる防災・安全情報を、中継局４０を介して受信することができないため、自動起動することができない。
【００５７】
また、エリアグループ３に属する地域３−１乃至３−４で受信していることがプリセットされている、受信装置２０−３１乃至２０−３４は、送信装置１０から送信されてくる防災・安全情報を、中継局４０を介して受信することができる。したがって、受信装置２０−３１乃至２０−３４は、防災・安全情報に従い、自動起動することになる。
【００５８】
このように、配信方式２を用いた場合、受信装置２０において、防災・安全情報を受信中に、地震動情報（緊急地震速報）が割り込んでしまうと、防災・安全情報を受信することができない場合がある。
【００５９】
（配信方式３）
図１４は、配信方式３を用いた場合の配信方法を説明する図である。
【００６０】
配信方式３は、上述した配信方式２の問題点を解決することができる配信方法である。図１４においては、各セグメントにおいて、フレームごとに配信先の地域を変化させながら、全ての地域に対し、防災・安全情報を配信している。
【００６１】
ここでは、例えば、配信対象となる地域が、Ａ市乃至Ｌ市の１２地域（都市）である場合を想定する。送信装置１０は、左セグメントを利用して、フレームごとに、Ａ市から順に、Ｂ市、Ｃ市、Ｄ市のように配信先の地域（都市）を変化させながら、Ｊ市、Ｋ市、Ｌ市まで、全ての地域（都市）に対して繰り返し、防災・安全情報を配信する。
【００６２】
また、送信装置１０は、中央セグメントを利用して、フレームごとに、Ｂ市から順に、Ｃ市、Ｄ市、Ｅ市のように配信先の地域（都市）を変化させならが、Ｋ市、Ｌ市、Ａ市まで、全ての地域（都市）に対して繰り返し、防災・安全情報を配信する。さらに、送信装置１０は、右セグメントを利用して、フレームごとに、Ｃ市から順に、Ｄ市、Ｅ市、Ｆ市のように配信先の地域（都市）を変化させながら、Ｌ市、Ａ市、Ｂ市まで、全ての地域（都市）に対して繰り返し、防災・安全情報を配信する。
【００６３】
この場合、図１５に示すように、Ａ市で受信していることをプリセット（登録）された受信装置２０Ａは、左セグメント、中央セグメント、及び、右セグメントの３セグメントのうち、いずれかのセグメントによって、送信装置１０から送信されてくる防災・安全情報を、中継局４０を介して受信することができる。したがって、受信装置２０Ａは、防災・安全情報に従い、自動起動することになる。
【００６４】
同様に、Ｂ市乃至Ｆ市で受信していることをプリセットされた受信装置２０Ｂ乃至受信装置２０Ｆは、３セグメントのうち、いずれかのセグメントによって、送信装置１０から送信されてくる防災・安全情報を、中継局４０を介して受信することができる。したがって、受信装置２０Ｂ乃至受信装置２０Ｆは、防災・安全情報に従い、自動起動することになる。
【００６５】
このように、配信方式３を用いた場合、各セグメントでは、配信対象となる地域群（例えばＡ市乃至Ｌ市）は同一となるが、その配信の順番が異なることになるので、全ての地域（都市）に対して防災・安全情報を配信することができる。
【００６６】
また、配信方式３を用いた場合には、各セグメントごとに全ての地域（都市）に対し、防災・安全情報を配信することになるので、例えば、ワンセグメント放送に対応した受信装置２０において、左セグメントのみを受信している場合でも、左セグメントによって、送信装置１０から送信されてくる防災・安全情報を受信することができる。また、例えば、防災・安全情報を受信中に、地震動情報（緊急地震速報）が割り込んで、３セグメントのうちのいずれかのセグメント（例えば中央セグメント）が地震動情報により占有された場合でも、他のセグメント（例えば、左セグメントや右セグメント）によって、送信装置１０から送信されてくる防災・安全情報を受信することができる。
【００６７】
（配信方式３の改良）
ところで、上述した配信方式２では、各セグメントが配信を行う地域をまとめて、エリアグループとして定義したが、このエリアグループの概念を配信方式３に取り入れることができる。この配信方式３の改良では、各エリアグループに全ての地域（都市）が属するようにして、エリアグループごとに、フレームごとに配信先の地域（都市）を変化させながら、全ての地域に対し、防災・安全情報が配信されるようにする。ただし、配信方式３の改良では、各エリアグループに属している地域群（都市群）は同一となるが（重複するが）、その配信先の地域の順番が異なることになる。
【００６８】
図１６は、エリアグループに属する地域群（都市群）の例を示す図である。
【００６９】
図１６において、エリアグループ１には、Ａ市、Ｂ市、Ｃ市、Ｄ市、Ｅ市、Ｆ市、Ｇ市、Ｈ市、Ｉ市、Ｊ市、Ｋ市、Ｌ市が属しており、その並び順が防災・安全情報の配信を行う順番とされる。また、エリアグループ２には、Ｄ市、Ｅ市、Ｆ市、Ｇ市、Ｈ市、Ｉ市、Ｊ市、Ｋ市、Ｌ市、Ａ市、Ｂ市、Ｃ市が属しており、その並び順が防災・安全情報の配信を行う順番とされる。さらに、エリアグループ３には、Ｇ市、Ｈ市、Ｉ市、Ｊ市、Ｋ市、Ｌ市、Ａ市、Ｂ市、Ｃ市、Ｄ市、Ｅ市、Ｆ市が属しており、その並び順が防災・安全情報の配信を行う順番とされる。
【００７０】
ここで、例えば、１セグメントの１フレーム当たりに配信可能な地域数が３地域であるとすると、図１６に示したように、各エリアグループにおける地域を、３地域以上ずらして、同一の地域群が属するようにする。これにより、各セグメントにおける、防災・安全情報の配信先の地域をずらすことができる。
【００７１】
図１７は、配信方式３の改良を用いた場合の配信方法を説明する図である。
【００７２】
図１７においては、図１６のエリアグループ１に属する地域群（都市群）に防災・安全情報の配信を行うセグメントを、「セグメント０」とし、図１６のエリアグループ２に属する地域群（都市群）に防災・安全情報の配信を行うセグメントを、「セグメント１」とし、図１６のエリアグループ３に属する地域群（都市群）に防災・安全情報の配信を行うセグメントを、「セグメント２」としている。
【００７３】
図１７において、送信装置１０は、セグメント０乃至セグメント２を利用して、フレームごとに、３地域単位で、防災・安全情報の配信先の地域を変化させながら、全ての地域に対して繰り返し、防災・安全情報を配信する。なお、ここでは、説明の便宜上、Ａ市、Ｂ市、及びＣ市の３地域（都市）のグループを「サブグループ１」、Ｄ市、Ｅ市、及びＦ市の３地域（都市）のグループを「サブグループ２」、Ｇ市、Ｈ市、及びＩ市の３地域（都市）のグループを「サブグループ３」、Ｊ市、Ｋ市、及びＬ市の３地域（都市）のグループを「サブグループ４」と称して説明する。
【００７４】
具体的には、セグメント０において、１番目のフレームの配信先の地域をサブグループ１（Ａ市、Ｂ市、Ｃ市）とし、２番目のフレームの配信先の地域をサブグループ２（Ｄ市、Ｅ市、Ｆ市）とし、３番目のフレームの配信先の地域をサブグループ３（Ｇ市、Ｈ市、Ｉ市）とし、４番目のフレームの配信先の地域をサブグループ４（Ｊ市、Ｋ市、Ｌ市）として、防災・安全情報が配信先に順次配信されるようにする。また、これらの４つのフレームを伝送することで、全ての地域に対する防災・安全情報の配信が完了すると、先頭のサブグループ１に戻り、その後、サブグループ１乃至サブグループ４に対する防災・安全情報の配信が繰り返される。
【００７５】
また、セグメント１において、１番目のフレームの配信先の地域をサブグループ２（Ｄ市、Ｅ市、Ｆ市）とし、２番目のフレームの配信先の地域をサブグループ３（Ｇ市、Ｈ市、Ｉ市）とし、３番目のフレームの配信先の地域をサブグループ４（Ｊ市、Ｋ市、Ｌ市）とし、４番目のフレームの配信先の地域をサブグループ１（Ａ市、Ｂ市、Ｃ市）として、防災・安全情報が配信先に順次配信されるようにする。また、これらの４つのフレームを伝送することで、全ての地域に対する防災・安全情報の配信が完了すると、先頭のサブグループ２に戻り、その後、サブグループ２乃至サブグループ１に対する防災・安全情報の配信が繰り返される。
【００７６】
さらに、セグメント２において、１番目のフレームの配信先の地域をサブグループ３（Ｇ市、Ｈ市、Ｉ市）とし、２番目のフレームの配信先の地域をサブグループ４（Ｊ市、Ｋ市、Ｌ市）とし、３番目のフレームの配信先の地域をサブグループ１（Ａ市、Ｂ市、Ｃ市）とし、４番目のフレームの配信先の地域をサブグループ２（Ｄ市、Ｅ市、Ｆ市）として、防災・安全情報が配信先に順次配信されるようにする。また、これらの４つのフレームを伝送することで、全ての地域に対する防災・安全情報の配信が完了すると、先頭のサブグループ３に戻り、その後、サブグループ３乃至サブグループ２に対する防災・安全情報の配信が繰り返される。
【００７７】
このように、配信方式３の改良を用いた場合、各セグメントでは、配信対象となる地域は重複しているが、その配信先の地域の順番が異なることになるので、全ての地域（都市）に対して防災・安全情報を配信することができる。
【００７８】
また、配信方式３の改良を用いた場合には、各セグメントごとに全ての地域（都市）に対し、防災・安全情報を配信することになるので、例えば、ワンセグメント放送に対応した受信装置２０において、セグメント１のみを受信している場合でも、セグメント１によって、送信装置１０から送信されてくる防災・安全情報を受信することができる。また、例えば、防災・安全情報を受信中に、地震動情報（緊急地震速報）が割り込んで、３セグメントのうちのいずれかのセグメント（例えばセグメント０）が地震動情報により占有された場合でも、他のセグメント（例えば、セグメント１やセグメント２）によって、送信装置１０から送信されてくる防災・安全情報を受信することができる。
【００７９】
なお、上述した配信方式３の改良において、１セグメントの１フレーム当たりに配信可能な地域数が３地域である場合を例示したが、１セグメントの１フレーム当たりに配信可能な地域数は３地域に限定されず、ｎ個（ｎは１以上の整数）の地域とすることができる。すなわち、１セグメントの１フレーム当たりに配信可能な地域数が、ｎ個（ｎは１以上の整数）の地域である場合には、エリアグループごとに同一の地域群（重複した地域）が属するようにするとともに、各エリアグループに属する地域群における地域の順番をｎ以上ずらして配置されるようにすればよい。
【００８０】
また、上述した配信方式３の改良においては、エリアグループごとに、同一のサブグループがずらして配置される場合を説明したが、各エリアグループでは、例えば、サブグループに属する地域をランダムに入れ替えるなどして配置されるようにしてもよい。要は、エリアグループごとに、重複した地域（同一の地域群）が含まれるとともに、防災・安全情報の配信先の地域の順番が異なるようにされていればよい。
【００８１】
例えば、Ａ市乃至Ｉ市に対して防災・安全情報の配信を行う場合に、セグメント０においては、サブグループ１−１（Ａ市、Ｂ市、Ｃ市）と、サブグループ２−１（Ｄ市、Ｅ市、Ｆ市）と、サブグループ３−１（Ｇ市、Ｈ市、Ｉ市）に対する防災・安全情報の配信が繰り返されるようにする。また、セグメント１においては、サブグループ１−２（Ａ市、Ｅ市、Ｉ市）と、サブグループ２−２（Ｂ市、Ｆ市、Ｇ市）と、サブグループ３−２（Ｃ市、Ｄ市、Ｈ市）に対する防災・安全情報の配信が繰り返されるようにする。さらに、セグメント２においては、サブグループ１−３（Ａ市、Ｆ市、Ｈ市）と、サブグループ２−３（Ｂ市、Ｄ市、Ｉ市）と、サブグループ３−３（Ｃ市、Ｅ市、Ｇ市）に対する防災・安全情報の配信が繰り返されるようにする。
【００８２】
この場合、エリアグループ１におけるサブグループ１−１乃至サブグループ３−１と、エリアグループ２におけるサブグループ１−２乃至サブグループ３−２と、エリアグループ３におけるサブグループ１−３乃至サブグループ３−３では、各サブグループに属する地域がランダムに入れ替えられているが、各エリアグループには重複した地域（同一の地域群）が含まれている。そのため、ワンセグメント放送に対応した受信装置２０が用いられる場合や、地震動情報により特定のセグメントが占有された場合にも対応することができる。
【００８３】
（配信方式３の改良の具体的な運用例）
次に、配信方式３の改良の具体的な運用例を説明する。
【００８４】
ここで、エリアグループごとの地域数をｍとした場合、防災・安全情報の配信先の地域の順番をずらすための地域数αは、次の式（１）により算出することができる。ただし、式（１）において、ceil[x]は、xの小数点以下を切り上げた整数の値を表している。
【００８５】
α＝ceil（ｍ／９）×３      ・・・（１）
【００８６】
そして、例えば、３セグメント形式のOFDMフレームで、ｍ個の地域に対する防災・安全情報の配信を行う場合、セグメント０乃至セグメント２に対応するエリアグループ１乃至エリアグループ３に対して、ｍ個の地域を、式（１）により算出されたα地域ずつ順番をずらして割り当てるようにする。
【００８７】
例えば、Ａ市乃至Ｘ市の２４都市（ｍ＝２４）に対して防災・安全情報の配信を行う場合、上述した式（１）を用いることで、地域の順番をずらすための地域数αは、ceil（２４／９）×３＝９（地域）であると算出される。
【００８８】
図１８に示すように、エリアグループ１として、Ａ市、Ｂ市、Ｃ市、Ｄ市、Ｅ市、Ｆ市、Ｇ市、Ｈ市、Ｉ市、Ｊ市、Ｋ市、Ｌ市、Ｍ市、Ｎ市、Ｏ市、Ｐ市、Ｑ市、Ｒ市、Ｓ市、Ｔ市、Ｕ市、Ｖ市、Ｗ市、Ｘ市が属しており、セグメント０において、その順番で防災・安全情報の配信が行われる場合には、エリアグループ２における同一の地域群は、その順番が９地域（都市）ずれて配置されることになる。具体的には、エリアグループ２には、Ｊ市、Ｋ市、Ｌ市、Ｍ市、Ｎ市、Ｏ市、Ｐ市、Ｑ市、Ｒ市、Ｓ市、Ｔ市、Ｕ市、Ｖ市、Ｗ市、Ｘ市、Ａ市、Ｂ市、Ｃ市、Ｄ市、Ｅ市、Ｆ市、Ｇ市、Ｈ市、Ｉ市が属しており、その並び順が防災・安全情報の配信を行う順番とされる。
【００８９】
また、エリアグループ３における同一の地域群は、その順番が、エリアグループ２に配置された地域群から９地域（都市）ずれて配置されることになる。具体的には、エリアグループ３には、Ｓ市、Ｔ市、Ｕ市、Ｖ市、Ｗ市、Ｘ市、Ａ市、Ｂ市、Ｃ市、Ｄ市、Ｅ市、Ｆ市、Ｇ市、Ｈ市、Ｉ市、Ｊ市、Ｋ市、Ｌ市、Ｍ市、Ｎ市、Ｏ市、Ｐ市、Ｑ市、Ｒ市が属しており、その並び順が防災・安全情報の配信を行う順番とされる。
【００９０】
この場合において、送信装置１０は、セグメント０乃至セグメント２を利用して、フレームごとに、３地域単位で、防災・安全情報の配信先の地域を変化させながら、全ての地域に対して繰り返し、防災・安全情報を配信する。
【００９１】
なお、ここでは、説明の便宜上、上述のサブグループ１（Ａ市、Ｂ市、Ｃ市）、サブグループ２（Ｄ市、Ｅ市、Ｆ市）、サブグループ３（Ｇ市、Ｈ市、Ｉ市）、及び、サブグループ４（Ｊ市、Ｋ市、Ｌ市）に加えて、Ｍ市、Ｎ市、及びＯ市の３地域（都市）のグループを「サブグループ５」、Ｐ市、Ｑ市、及びＲ市の３地域（都市）のグループを「サブグループ６」、Ｓ市、Ｔ市、及びＵ市の３地域（都市）のグループを「サブグループ７」、Ｖ市、Ｗ市、及びＸ市の３地域（都市）のグループを「サブグループ８」として説明する。
【００９２】
図１９に示すように、セグメント０においては、１番目のフレームの配信先の地域がサブグループ１（Ａ市、Ｂ市、Ｃ市）とされ、２番目のフレームの配信先の地域がサブグループ２（Ｄ市、Ｅ市、Ｆ市）とされ、３番目のフレームの配信先の地域がサブグループ３（Ｇ市、Ｈ市、Ｉ市）とされ、４番目のフレームの配信先の地域がサブグループ４（Ｊ市、Ｋ市、Ｌ市）とされ、防災・安全情報が配信先に順次配信されることになる。
【００９３】
また、セグメント０においては、５番目のフレームの配信先の地域がサブグループ５（Ｍ市、Ｎ市、Ｏ市）とされ、６番目のフレームの配信先の地域がサブグループ６（Ｐ市、Ｑ市、Ｒ市）とされ、７番目のフレームの配信先の地域がサブグループ７（Ｓ市、Ｔ市、Ｕ市）とされ、８番目のフレームの配信先の地域がサブグループ８（Ｖ市、Ｗ市、Ｘ市）とされ、防災・安全情報が配信先に順次配信されることになる。そして、セグメント０において、これらの８つのフレームを伝送することで、全ての地域に対する防災・安全情報の配信が完了すると、先頭のサブグループ１に戻り、その後、サブグループ１乃至サブグループ８に対する防災・安全情報の配信が繰り返される。
【００９４】
セグメント１において、エリアグループ２における地域群は、エリアグループ１における地域群に対してその順番が９地域ずらして配置されているので、１番目のフレームの配信先の地域がサブグループ４（Ｊ市、Ｋ市、Ｌ市）とされる。そして、セグメント１においては、２番目のフレームの配信先の地域がサブグループ５（Ｍ市、Ｎ市、Ｏ市）とされ、３番目のフレームの配信先の地域がサブグループ６（Ｐ市、Ｑ市、Ｒ市）とされ、４番目のフレームの配信先の地域がサブグループ７（Ｓ市、Ｔ市、Ｕ市）とされ、防災・安全情報が配信先に順次配信されることになる。
【００９５】
また、セグメント１においては、５番目のフレームの配信先の地域がサブグループ８（Ｖ市、Ｗ市、Ｘ市）とされ、６番目のフレームの配信先の地域がサブグループ１（Ａ市、Ｂ市、Ｃ市）とされ、７番目のフレームの配信先の地域がサブグループ２（Ｄ市、Ｅ市、Ｆ市）とされ、８番目のフレームの配信先の地域がサブグループ３（Ｇ市、Ｈ市、Ｉ市）とされ、防災・安全情報が配信先に順次配信されることになる。そして、セグメント１において、これらの８つのフレームを伝送することで、全ての地域に対する防災・安全情報の配信が完了すると、先頭のサブグループ４に戻り、その後、サブグループ４乃至サブグループ３に対する防災・安全情報の配信が繰り返される。
【００９６】
セグメント２において、エリアグループ３における地域群は、エリアグループ２における地域群に対してその順番が９地域ずらして配置（エリアグループ１における地域群に対してその順番が１８地域ずらして配置）されているので、１番目のフレームの配信先の地域がサブグループ７（Ｓ市、Ｔ市、Ｕ市）とされる。そして、セグメント２においては、２番目のフレームの配信先の地域がサブグループ８（Ｖ市、Ｗ市、Ｘ市）とされ、３番目のフレームの配信先の地域がサブグループ１（Ａ市、Ｂ市、Ｃ市）とされ、４番目のフレームの配信先の地域がサブグループ２（Ｄ市、Ｅ市、Ｆ市）とされ、防災・安全情報が配信先に順次配信されることになる。
【００９７】
また、セグメント２においては、５番目のフレームの配信先の地域がサブグループ３（Ｇ市、Ｈ市、Ｉ市）とされ、６番目のフレームの配信先の地域がサブグループ４（Ｊ市、Ｋ市、Ｌ市）とされ、７番目のフレームの配信先の地域がサブグループ５（Ｍ市、Ｎ市、Ｏ市）とされ、８番目のフレームの配信先の地域がサブグループ６（Ｐ市、Ｑ市、Ｒ市）とされ、防災・安全情報が配信先に順次配信されることになる。そして、セグメント２において、これらの８つのフレームを伝送することで、全ての地域に対する防災・安全情報の配信が完了すると、先頭のサブグループ７に戻り、その後、サブグループ７乃至サブグループ６に対する防災・安全情報の配信が繰り返される。
【００９８】
このように、配信方式３の改良においては、エリアグループごとに、上述の式（１）を適用して得られる９地域ずつ順番をずらして、防災・安全情報の配信が行われるようにすることで、３セグメントを受信可能な受信装置２０では、セグメント０乃至セグメント２の３セグメントで伝送されるフレームをそれぞれ、３フレーム分ずつ取得できれば、送信装置１０から送信されてくる、全ての地域に対する防災・安全情報を受信することができる。すなわち、３セグメントを受信可能な受信装置２０において、Ａ市乃至Ｘ市のうち、いずれかの地域で受信していることがプリセット（登録）されている場合、セグメント０乃至セグメント２で伝送されるフレームをそれぞれ、３フレーム分取得するまでの間に、自身にプリセットされた地域に対して配信された防災・安全情報を取得することができる。
【００９９】
また、ワンセグメント放送に対応した（１セグメントを受信可能な）受信装置２０においては、セグメント０乃至セグメント２の３セグメントのうち、いずれかのセグメントで伝送されるフレームを、８フレーム分取得できれば、送信装置１０から送信されてくる、全ての地域に対する防災・安全情報を受信することができる。すなわち、１セグメントを受信可能な受信装置２０において、Ａ市乃至Ｘ市のうち、いずれかの地域で受信していることがプリセット（登録）されている場合、セグメント０乃至セグメント２のいずれかのセグメントで伝送されるフレームを、８フレーム分取得するまでの間に、自身にプリセットされた地域に対して配信された防災・安全情報を取得することができる。
【０１００】
さらに、図２０に示すように、３セグメントを受信可能な受信装置２０では、防災・安全情報を受信中に、地震動情報（緊急地震速報）が割り込んで、セグメント０乃至セグメント２の３セグメントのうちのいずれかのセグメント（例えばセグメント０）が地震動情報により占有された場合でも、他のセグメント（例えば、セグメント１やセグメント２）で伝送されるフレームを、５フレーム分取得できれば、送信装置１０から送信されてくる、全ての地域に対する防災・安全情報を受信することができる。すなわち、３セグメントを受信可能な受信装置２０において、Ａ市乃至Ｘ市のうち、いずれかの地域で受信していることがプリセット（登録）されている場合、３セグメントのうち、地震動情報により占有されていない２つのセグメントで伝送されるフレームをそれぞれ５フレーム分取得するまでの間に、自身にプリセットされた地域に対して配信された防災・安全情報を取得することができる。これにより、受信装置２０では、地震動情報と防災・安全情報の両方を受信することができる。
【０１０１】
なお、上述した配信方式３の改良においては、３セグメントでフレームを伝送する場合を例示したが、セグメント数は、３セグメントに限らず、２以上の任意のセグメント数を利用した放送に適用することができる。ただし、その場合であっても、セグメント数に応じたエリアグループが定義されることになる。
【０１０２】
＜４．各装置の構成＞
【０１０３】
（基本的な送信装置の構成例）
図２１は、図１の送信装置１０の構成例を示す図である。なお、ここでは、まず、基本的な送信装置１０Ａ（図２１）の構成例を説明してから、配信方式３の改良に対応した送信装置１０Ｂ（図２２）の構成例を説明する。
【０１０４】
図２１において、送信装置１０Ａは、TS再多重部１１１、符号化部１１２、階層分割部１１３、エネルギー拡散部１１４、遅延補正部１１５、バイトインターリーバ１１６、畳込み符号化部１１７、キャリア変調部１１８、階層合成部１１９、時間インターリーバ１２０、周波数インターリーバ１２１、OFDMフレーム構成部１２２、選択部１２３、セグメント合成部１２４、IFFT部１２５、及び、GI付加部１２６から構成される。
【０１０５】
なお、送信装置１０Ａにおいて、エネルギー拡散部１１４乃至キャリア変調部１１８は、エネルギー拡散部１１４−１乃至キャリア変調部１１８−１と、エネルギー拡散部１１４−２乃至キャリア変調部１１８−２の２系統が用意されているが、３セグメント形式を採用した場合に、エネルギー拡散部１１４−２乃至キャリア変調部１１８−２を使用することになる。
【０１０６】
TS再多重部１１１は、入力されるトランスポートストリーム（TS：Transport Stream）の再多重化を行うことで、放送用のトランスポートストリームに変換し、符号化部１１２に供給する。符号化部１１２は、リードソロモン符号（Reed Solomon Coding）により、TS再多重部１１１からのトランスポートストリームの符号化処理を行い、階層分割部１１３に供給する。
【０１０７】
階層分割部１１３は、符号化部１１２からのトランスポートストリームを複数のストリームに階層分離し、分離されたストリームを、エネルギー拡散部１１４−１（とエネルギー拡散部１１４−２）に供給する。エネルギー拡散部１１４−１は、階層分割部１１３により分離された各ストリームについて、エネルギー拡散処理を行う。エネルギー拡散部１１４−１により処理されたデータは、遅延補正部１１５−１により遅延補正処理が施された後、バイトインターリーバ１１６−１に供給される。
【０１０８】
バイトインターリーバ１１６−１は、遅延補正部１１５−１から供給されるデータに対して、所定の規則に従い、バイト単位でのインターリーブ処理を行い、畳込み符号化部１１７−１に供給する。畳込み符号化部１１７−１は、バイトインターリーバ１１６−１から供給されるデータに対して、畳み込み符号化の処理を行い、キャリア変調部１１８−１に供給する。
【０１０９】
キャリア変調部１１８−１は、畳込み符号化部１１７−１から供給されるデータに対して、所定のデジタル変調方式に従い、変調処理を行う。ここで、キャリア変調部１１８−１は、ビットインターリーバ１４１−１及びマッピング部１４２−１から構成される。ビットインターリーバ１４１−１は、畳込み符号化部１１７−１から供給されるデータに対して、ビットインターリーブ処理を行う。ビットインターリーバ１４１−１により処理されたデータは、マッピング部１４２−１によりマッピング処理が施されることでキャリア変調され、階層合成部１１９に供給される。
【０１１０】
なお、３セグメント形式を採用した場合には、エネルギー拡散部１１４−２乃至キャリア変調部１１８−２において、エネルギー拡散部１１４−１乃至キャリア変調部１１８−１と同様の処理が行われる。階層合成部１１９は、キャリア変調部１１８−１とキャリア変調部１１８−２によりキャリア変調された複数の信号を合成し、時間インターリーバ１２０に供給する。
【０１１１】
時間インターリーバ１２０は、階層合成部１１９から供給される信号に対して、時間インターリーブ処理を行い、周波数インターリーバ１２１に供給する。周波数インターリーバ１２１は、時間インターリーバ１２０から供給される信号に対して、周波数インターリーブ処理を行い、OFDMフレーム構成部１２２に供給する。また、OFDMフレーム構成部１２２には、パイロット信号（SP（Scattered Pilot）信号、CP（Continual Pilot）信号）と制御信号（TMCC(Transmission and Multiplexing Configuration Control)信号）が供給される。
【０１１２】
選択部１２３には、セグメント０で伝送される地震動情報と、防災・安全情報が入力される。選択部１２３は、通常、防災・安全情報を選択して、セグメント合成部１２４に供給するが、地震動情報（緊急地震速報）が入力された場合には、地震動情報を選択して、セグメント合成部１２４に供給する。
【０１１３】
セグメント合成部１２４には、選択部１２３から供給される、セグメント０で伝送される防災・安全情報又は地震動情報のほか、セグメント１で伝送される防災・安全情報と、セグメント２で伝送される防災・安全情報が入力される。セグメント合成部１２４は、セグメント０で伝送される防災・安全情報又は地震動情報、セグメント１で伝送される防災・安全情報、及び、セグメント２で伝送される防災・安全情報を合成し、付加情報（AC（Auxiliary Channel）信号）として、OFDMフレーム構成部１２２に供給する。
【０１１４】
OFDMフレーム構成部１２２は、周波数インターリーバ１２１から供給される信号からOFDMフレームを構成（生成）する。このとき、OFDMフレーム構成部１２２は、パイロット信号（SP信号、CP信号）、制御信号（TMCC信号）、及び、付加情報（AC信号）を付加する。OFDMフレーム構成部１２２により構成（生成）されたOFDMフレームは、IFFT部１２５に供給される。
【０１１５】
IFFT部１２５は、OFDMフレーム構成部１２２から供給されるOFDMフレームを、逆高速フーリエ変換し、GI付加部１２６に供給する。GI付加部１２６は、IFFT部１２５から供給される信号にガードインターバル（GI：Guard interval）を付加する。
【０１１６】
送信装置１０Ａは、以上の手順で生成されたOFDM信号を、デジタル放送信号として、伝送路３０を介して送信（伝送）する。
【０１１７】
（配信方式３の改良に対応した送信装置の構成）
図２２は、図１の送信装置１０の構成例を示す図である。なお、図２２の送信装置１０Ｂは、配信方式３の改良に対応している。
【０１１８】
図２２の送信装置１０Ｂにおいては、図２１の送信装置１０Ａと対応する部分については同様の符号を付してあり、その説明は適宜省略する。すなわち、図２２の送信装置１０Ｂにおいては、図２１の送信装置１０Ａと比べて、エリアグループ順番変更部１５１−１と、エリアグループ順番変更部１５１−２が新たに設けられている。
【０１１９】
図２２においては、防災・安全情報が、選択部１２３に入力されるほか、エリアグループ順番変更部１５１−１と、エリアグループ順番変更部１５１−２に入力される。
【０１２０】
選択部１２３には、セグメント０で伝送される防災・安全情報のほか、地震動情報が入力される。選択部１２３は、通常、防災・安全情報を選択して、セグメント合成部１２４に供給するが、地震動情報（緊急地震速報）が入力された場合には、地震動情報を選択して、セグメント合成部１２４に供給する。
【０１２１】
エリアグループ順番変更部１５１−１には、セグメント１で伝送される防災・安全情報が入力される。エリアグループ順番変更部１５１−１は、セグメント１で伝送される防災・安全情報の配信先の地域の順番を変更し、セグメント合成部１２４に供給する。
【０１２２】
エリアグループ順番変更部１５１−２には、セグメント２で伝送される防災・安全情報が入力される。エリアグループ順番変更部１５１−２は、セグメント２で伝送される防災・安全情報の配信先の地域の順番を変更し、セグメント合成部１２４に供給する。
【０１２３】
セグメント合成部１２４には、選択部１２３から供給される、セグメント０で伝送される防災・安全情報又は地震動情報と、エリアグループ順番変更部１５１−１から供給される、セグメント１で伝送される防災・安全情報と、エリアグループ順番変更部１５１−２から供給される、セグメント２で伝送される防災・安全情報が入力される。セグメント合成部１２４は、セグメント０で伝送される防災・安全情報又は地震動情報、セグメント１で伝送される防災・安全情報、及び、セグメント２で伝送される防災・安全情報を合成し、付加情報（AC信号）として、OFDMフレーム構成部１２２に供給する。
【０１２４】
ここで、セグメント合成部１２４により合成される防災・安全情報であるが、セグメント０で伝送される防災・安全情報は、配信先の地域の順番が変更されておらず、セグメント１で伝送される防災・安全情報は、エリアグループ順番変更部１５１−１により配信先の地域の順番が変更され、セグメント２で伝送される防災・安全情報は、エリアグループ順番変更部１５１−２により配信先の地域の順番が変更されている。
【０１２５】
すなわち、エリアグループ順番変更部１５１−１とエリアグループ順番変更部１５１−２が防災・安全情報の配信先の地域の順番を変更することで、図１７の配信方式３の改良を用いた場合の配信方法に例示したように、各セグメントでは、配信対象となる地域群は同一となるが、その配信の順番が異なることになる。その結果、全ての地域（都市）に対して、確実に、防災・安全情報を配信することができる。
【０１２６】
OFDMフレーム構成部１２２は、周波数インターリーバ１２１から供給される信号からOFDMフレームを構成（生成）する。このとき、OFDMフレーム構成部１２２は、パイロット信号（SP信号、CP信号）、制御信号（TMCC信号）、及び、付加情報（AC信号）を付加することになる。
【０１２７】
送信装置１０Ｂは、以上の手順で生成されたOFDM信号を、デジタル放送信号として、伝送路３０を介して送信（伝送）する。
【０１２８】
（配信方式３の改良に対応した受信装置の構成例）
図２３は、図１の受信装置２０の構成例を示す図である。なお、図２３の受信装置２０は、配信方式３の改良に対応している。
【０１２９】
図２３において、受信装置２０は、アンテナ２１１、乗算部２１２、局部発振部２１３、IF回路２１４、乗算部２１５、局部発振部２１６、A/D部２１７、直交復調部２１８、FFT部２１９、同期再生部２２０、フレーム抽出部２２１、TMCC復号部２２２、AC復号部２２３、情報受信処理部２２４、キャリア復調部２２５、周波数デインターリーバ２２６、時間デインターリーバ２２７、デマッピング部２２８、階層分割部２２９、ビットデインターリーバ２３０、デパンクチャ２３１、階層合成部２３２、ビタビ復号部２３３、階層分割部２３４、バイトデインターリーバ２３５、エネルギー逆拡散部２３６、TS再生部２３７、及び、復号部２３８から構成される。
【０１３０】
なお、受信装置２０において、ビットデインターリーバ２３０、デパンクチャ２３１、バイトデインターリーバ２３５、及び、エネルギー逆拡散部２３６は、ビットデインターリーバ２３０−１、デパンクチャ２３１−１、バイトデインターリーバ２３５−１、及び、エネルギー逆拡散部２３６−１と、ビットデインターリーバ２３０−２、デパンクチャ２３１−２、バイトデインターリーバ２３５−２、及び、エネルギー逆拡散部２３６−２の２系統が用意されている。これは、３セグメント形式を採用した場合に、ビットデインターリーバ２３０−２、デパンクチャ２３１−２、バイトデインターリーバ２３５−２、及び、エネルギー逆拡散部２３６−２を使用することになる。
【０１３１】
アンテナ２１１により受信されたデジタル放送信号（RF信号）は、乗算部２１２乃至局部発振部２１６によりIF信号に周波数変換され、A/D部２１７に供給される。なお、局部発振部２１３から発振される受信キャリア信号の発振周波数は、参照チャンネル選択信号に応じて切り替えられる。
【０１３２】
A/D部２１７は、IF信号をデジタル信号に変換し、直交復調部２１８に供給する。直交復調部２１８は、所定の周波数（キャリア周波数）のキャリア信号を用い、デジタル化されたIF信号を直交復調し、それにより得られるベースバンドのOFDM信号を、FFT部２１９及び同期再生部２２０に供給する。
【０１３３】
FFT部２１９は、直交復調部２１８から供給されるベースバンドのOFDM信号に対して、高速フーリエ変換を行い、各サブキャリアに直交変調されている信号を抽出して、フレーム抽出部２２１、AC復号部２２３、及び、キャリア復調部２２５に供給する。フレーム抽出部２２１は、FFT部２１９により復調された信号の所定のサブキャリアからTMCC信号を抽出し、そのTMCC信号から同期信号を検出してOFDMフレームの境界を検出し、その境界位置を同期再生部２２０等に供給する。
【０１３４】
同期再生部２２０は、ベースバンドのOFDM信号、FFT部２１９による復調後の各サブキャリアに変調されていた信号、OFDMシンボルの境界等を用い、FFT部２１９に対して、高速フーリエ変換における演算範囲やそのタイミング等の同期処理を行う。
【０１３５】
TMCC復号部２２２には、フレーム抽出部２２１により同期が取られた後のTMCC信号が入力される。TMCC復号部２２２は、このTMCC信号から制御信号を復号し、キャリア変調部２２５、周波数デインターリーバ２２６、時間デインターリーバ２２７、デマッピング部２２８、階層分割部２２９、ビットデインターリーバ２３０、デパンクチャ２３１、階層合成部２３２、階層分割部２３４、及び、TS再生部２３７に供給することで、各部の復調や再生等の制御を行う。
【０１３６】
AC復号部２２３は、FFT部２１９により復調された信号の所定のサブキャリアからAC信号を抽出し、このAC信号から付加情報を復号する。AC復号部２２３は、付加情報から得られる防災・安全情報又は地震動情報を、情報受信処理部２２４に供給する。
【０１３７】
情報受信処理部２２４は、AC復号部２２３から供給される防災・安全情報又は地震動情報に基づいて、所定の処理を行う。情報受信処理部２２４は、地震動情報処理部２５１及び防災・安全情報処理部２５２から構成される。地震動情報処理部２５１は、受信装置２０にプリセット（登録）されている地域が、地震動情報の配信先の地域に該当する場合、当該地震動情報に基づいて、受信装置２０を自動起動させる。防災・安全情報処理部２５２は、受信装置２０にプリセット（登録）されている地域が、防災・安全情報の配信先の地域に該当する場合、当該防災・安全情報に基づいて、受信装置２０を自動起動させる。
【０１３８】
キャリア復調部２２５には、FFT部２１９からの出力信号、すなわち、各サブキャリア復調された後の信号が供給される。キャリア復調部２２５は、FFT部２１９からの信号に対し、差動復調処理や等化処理等のキャリア復調処理を行い、周波数デインターリーバ２２６に供給する。
【０１３９】
周波数デインターリーバ２２６は、キャリア復調部２２５から供給される信号に対して、周波数デインターリーブ処理を行い、時間デインターリーバ２２７に供給する。時間デインターリーバ２２７は、周波数デインターリーバ２２６から供給される信号に対して、時間デインターリーブ処理を行い、デマッピング部２２８に供給する。
【０１４０】
デマッピング部２２８は、時間デインターリーバ２２７から供給される信号に対して、デマッピング処理を施してデータを復元する。階層分割部２２９は、デマッピング部２２８により復元されたデータを、複数のデータに階層分離し、分離されたデータを、ビットデインターリーバ２３０−１（とビットデインターリーバ２３０−２）に供給する。
【０１４１】
ビットデインターリーバ２３０−１は、階層分割部２２９から供給されるデータに対して、ビットデインターリーブ処理を行い、デパンクチャ２３１−１に供給する。デパンクチャ２３１−１は、ビットデインターリーバ２３０−１から供給されるデータに対し、デパンクチャ処理を行い、階層合成部２３２に供給する。
【０１４２】
なお、３セグメント形式を採用した場合には、ビットデインターリーバ２３０−２とデパンクチャ２３１−２において、ビットデインターリーバ２３０−１とデパンクチャ２３１−１と同様の処理が行われる。階層合成部２３２は、デパンクチャ２３１−１とデパンクチャ２３１−２から供給されるデータを合成し、ビタビ復号部２３３に供給する。
【０１４３】
ビタビ復号部２３３は、階層合成部２３２から供給されるデータに対し、ビタビ復号処理を施し、階層分割部２３４に供給する。階層分割部２３４は、ビタビ復号部２３３から供給されるデータを、複数のデータに階層分離し、分離されたデータを、バイトデインターリーバ２３５−１（とバイトデインターリーバ２３５−２）に供給する。
【０１４４】
バイトデインターリーバ２３５−１は、階層分割部２３４から供給されるデータに対し、所定の規則に従い、バイト単位でのバイトデインターリーブ処理を行い、エネルギー逆拡散部２３６−１に供給する。エネルギー逆拡散部２３６−１は、バイトデインターリーバ２３５−１から供給されるデータに対して、エネルギー逆拡散処理を行い、TS再生部２３７に供給する。
【０１４５】
なお、３セグメント形式を採用した場合には、バイトデインターリーバ２３５−２とエネルギー逆拡散部２３６−２においては、バイトデインターリーバ２３５−１とエネルギー逆拡散部２３６−１と同様の処理が行われる。TS再生部２３７は、エネルギー逆拡散部２３６−１とエネルギー逆拡散部２３６−２からのデータに基づいて、トランスポートストリームを生成し、復号部２３８に供給する。
【０１４６】
復号部２３８は、TS再生部２３７から供給されるトランスポートストリームに対して、リードソロモン復号処理を施して出力する。
【０１４７】
受信装置２０は、以上の手順で生成されたトランスポートストリームに基づいて、例えば、コンテンツとしてのビデオデータやオーディオデータを再生する。
【０１４８】
＜５．各装置で実行される処理の流れ＞
【０１４９】
（送信処理）
まず、図２４のフローチャートを参照して、図２２の送信装置１０Ｂにより実行される送信処理について説明する。
【０１５０】
ステップＳ１０１において、選択部１２３、セグメント合成部１２４、並びにエリアグループ順番変更部１５１−１及びエリアグループ順番変更部１５１−２は、地震動情報又は防災・安全情報を処理する。
【０１５１】
具体的には、選択部１２３には、セグメント０で伝送される防災・安全情報が入力されるので、選択部１２３は、防災・安全情報を選択して、セグメント合成部１２４に供給するが、地震動情報（緊急地震速報）が入力された場合には、地震動情報を選択して、セグメント合成部１２４に供給する。
【０１５２】
エリアグループ順番変更部１５１−１には、セグメント１で伝送される防災・安全情報が入力されるので、エリアグループ順番変更部１５１−１は、防災・安全情報の配信先の地域の順番を変更し、セグメント合成部１２４に供給する。また、エリアグループ順番変更部１５１−２には、セグメント２で伝送される防災・安全情報が入力されるので、エリアグループ順番変更部１５１−２は、防災・安全情報の配信先の地域の順番を変更し、セグメント合成部１２４に供給する。
【０１５３】
セグメント合成部１２４は、選択部１２３からのセグメント０で伝送される防災・安全情報又は地震動情報、エリアグループ順番変更部１５１−１からのセグメント１で伝送される防災・安全情報、及び、エリアグループ順番変更部１５１−２からのセグメント２で伝送される防災・安全情報を合成し、付加情報（AC信号）として、OFDMフレーム構成部１２２に供給する。
【０１５４】
ここで、セグメント合成部１２４により合成される防災・安全情報であるが、セグメント０で伝送される防災・安全情報は、配信先の地域の順番が変更されておらず、セグメント１で伝送される防災・安全情報は、エリアグループ順番変更部１５１−１により配信先の地域の順番が変更され、セグメント２で伝送される防災・安全情報は、エリアグループ順番変更部１５１−２により配信先の地域の順番が変更されている。
【０１５５】
すなわち、エリアグループ順番変更部１５１−１とエリアグループ順番変更部１５１−２が防災・安全情報の配信先の地域の順番を変更することで、図１７の配信方式３の改良を用いた場合の配信方法に例示したように、各セグメントでは、配信対象となる地域群は同一となるが、その配信の順番が異なることになる。その結果、全ての地域（都市）に対して、確実に、防災・安全情報を配信することができる。
【０１５６】
ステップＳ１０２において、OFDMフレーム構成部１２２は、前段から供給される信号に、パイロット信号（SP信号、CP信号）、制御信号（TMCC信号）、及び、付加情報（AC信号）を付加することで、OFDMフレームを生成（構成）する。そして、送信装置１０Ｂにおいては、ステップＳ１０２の処理で得られるOFDM信号が、デジタル放送信号として、伝送路３０を介して送信される（Ｓ１０３）。
【０１５７】
以上、送信処理について説明した。
【０１５８】
（受信処理）
次に、図２５のフローチャートを参照して、図２３の受信装置２０により実行される受信処理について説明する。
【０１５９】
ステップＳ２０１においては、受信装置２０（図２３）の各部が動作することで、送信装置１０Ｂから伝送路３０を介して送信されてくるデジタル放送信号を受信するための受信処理が行われる。
【０１６０】
ステップＳ２０２において、情報受信処理部２２４は、地震動情報又は防災・安全情報に対応した自動起動処理を行う。この自動起動処理では、受信装置２０において、該当地域向けの地震動情報又は防災・安全情報が受信された場合には、自動起動されることになる。なお、自動起動処理の詳細な内容は、図２６又は図２８のフローチャートを参照して後述する。
【０１６１】
以上、受信処理について説明した。
【０１６２】
（セグメント０を特別に処理する場合の自動起動処理）
次に、図２６のフローチャートを参照して、図２５のステップＳ２０２の処理に対応する自動起動処理の詳細な処理の内容について説明する。なお、図２６の自動起動処理を実行する前提として、受信装置２０は、未起動状態（例えば電源オフ状態やスリープ状態）であるものとする。また、受信装置２０においては、その受信している地域が、あらかじめプリセット（登録）され、メモリ部（不図示）に記録されているものとする。
【０１６３】
ステップＳ２３１においては、最初のフレームが選択される。また、ステップＳ２３２においては、ステップＳ２３１の処理で選択された最初のフレームにおける最初のセグメントが選択される。
【０１６４】
ステップＳ２３３において、地震動情報処理部２５１は、ステップＳ２３２の処理で選択されたセグメントが、セグメント０であるかどうかを判定する。ステップＳ２３３において、セグメント０であると判定された場合、処理は、ステップＳ２３４に進められる。
【０１６５】
ステップＳ２３４において、地震動情報処理部２５１は、ステップＳ２３２の処理で選択されたセグメントで、地震動情報が配信されているかどうかを判定する。ステップＳ２３４において、地震動情報が配信されていると判定された場合、処理は、ステップＳ２３５に進められる。
【０１６６】
ステップＳ２３５において、地震動情報処理部２５１は、地震動情報の配信先の地域が、あらかじめプリセット（登録）された地域と一致するかどうかを判定する。ステップＳ２３５において、地震動情報の該当地域であると判定された場合、処理は、ステップＳ２３６に進められる。ステップＳ２３６において、地震動情報処理部２５１は、地震動情報に従い、受信装置２０を自動起動させる。これにより、受信装置２０は、ユーザに対して、地震の発生を知らせることができる。なお、ステップＳ２３６の処理が終了すると、処理は、図２５のステップＳ２０２の処理に戻される。
【０１６７】
また、ステップＳ２３３においてセグメント０ではないと判定された場合（Ｓ２３３の「No」）、ステップＳ２３４において地震動情報が配信されていないと判定された場合（Ｓ２３４の「No」）、又は、ステップＳ２３５において地震動情報の該当地域ではないと判定された場合（Ｓ２３５の「No」）、処理は、ステップＳ２３７に進められる。
【０１６８】
ステップＳ２３７において、防災・安全情報処理部２５２は、ステップＳ２３２の処理で選択されたセグメントで、防災・安全情報が配信されているかどうかを判定する。ステップＳ２３７において、防災・安全情報が配信されていないと判定された場合、処理は、ステップＳ２３８に進められる。ステップＳ２３８においては、次のセグメントが選択され、処理はステップＳ２３３に戻り、それ以降の処理が実行される。一方、ステップＳ２３７において、防災・安全情報が配信されていると判定された場合、処理は、ステップＳ２３９に進められる。
【０１６９】
ステップＳ２３９において、防災・安全情報処理部２５２は、防災・安全情報の配信先の地域が、あらかじめプリセット（登録）された地域と一致するかどうかを判定する。なお、１セグメントの１フレーム当たりに配信可能な地域が複数存在する場合には、それらの全ての地域と、プリセットされた地域とが比較され、該当地域であるかどうかが判定される。なお、このような、１セグメントの１フレーム当たりに配信可能な地域が複数存在する場合の地域判定処理の詳細な内容は、図２７のフローチャートを参照して後述する。
【０１７０】
ステップＳ２３９において、防災・安全情報の該当地域であると判定された場合、処理は、ステップＳ２４０に進められる。ステップＳ２４０において、防災・安全情報処理部２５２は、防災・安全情報に従い、受信装置２０を自動起動させる。これにより、受信装置２０は、ユーザに対して、例えば大雨や洪水、竜巻などが発生したことを知らせることができる。なお、ステップＳ２４０の処理が終了すると、処理は、図２５のステップＳ２０２に戻される。
【０１７１】
ステップＳ２３９において、防災・安全情報の該当地域ではないと判定された場合、処理は、ステップＳ２４１に進められる。ステップＳ２４１においては、全てのセグメントが選択されたかどうかが判定される。ステップＳ２４１において、全てのセグメントが選択されていないと判定された場合、処理は、ステップＳ２４２に進められる。ステップＳ２４２においては、次のセグメントが選択された後に、処理は、ステップＳ２３３に戻り、セグメントループの処理が実行される。
【０１７２】
一方、ステップＳ２４１において、全てのセグメントが選択されたと判定された場合、処理は、ステップＳ２４３に進められる。ステップＳ２４３においては、処理を終了するかどうかが判定される。ステップＳ２４３において、処理を継続すると判定された場合、処理は、ステップＳ２４４に進められる。ステップＳ２４４においては、次のフレームが選択された後に、処理は、ステップＳ２３２に戻り、フレームループの処理が実行される。
【０１７３】
そして、フレームループの処理とセグメントループの処理が繰り返されることで、該当地域の地震動情報又は防災・安全情報が取得されることになる。なお、ステップＳ２４３において、処理を終了すると判定された場合、処理は、図２５のステップＳ２０２の処理に戻される。
【０１７４】
以上、セグメント０を特別に処理する場合の自動起動処理について説明した。この自動起動処理では、配信方式３の改良を用いているため、各セグメントごとに全ての地域（都市）に対し、防災・安全情報が配信されることになるので、確実に、防災・安全情報を取得することができる。
【０１７５】
また、例えば、ワンセグメント放送に対応した受信装置２０において、セグメント１のみを受信している場合でも、セグメント１によって、送信装置１０から送信されてくる防災・安全情報を受信することができる。さらに、例えば、防災・安全情報を受信中に、地震動情報（緊急地震速報）が割り込んで、３セグメントのうちのいずれかのセグメント（例えばセグメント０）が地震動情報により占有された場合でも、他のセグメント（例えば、セグメント１やセグメント２）によって、送信装置１０から送信されてくる防災・安全情報を受信することができる。
【０１７６】
なお、図２６の自動起動処理では、地震動情報が伝送されるセグメント０を特別に処理する場合を例示した。また、地震動情報については、即時性の観点から判定処理を最優先で行うことが望ましい。
【０１７７】
（地域判定処理）
ここで、図２７のフローチャートを参照して、図２６のステップＳ２３９の処理に対応する地域判定処理の詳細な処理の内容について説明する。
【０１７８】
ステップＳ２５１において、防災・安全情報処理部２５２は、１セグメントの１フレーム当たりに配信可能な地域が複数存在する場合における最初の地域を選択する。
【０１７９】
ステップＳ２５２において、防災・安全情報処理部２５２は、ステップＳ２５１の処理で選択された地域が、あらかじめプリセット（登録）された地域と一致するかどうかを判定する。ステップＳ２５２において、防災・安全情報の該当地域であると判定された場合、処理は、図２６のステップＳ２４０に進められる。図２６のステップＳ２４０においては、防災・安全情報に従い、受信装置２０が自動起動される。
【０１８０】
また、ステップＳ２５２において、防災・安全情報の該当地域ではないと判定された場合、処理は、ステップＳ２５３に進められる。ステップＳ２５３において、防災・安全情報処理部２５２は、１セグメントの１フレームにおける複数の配信可能な地域が全て選択されたかどうかを判定される。ステップＳ２５３において、全ての地域が選択されていないと判定された場合、処理は、ステップＳ２５４に進められる。
【０１８１】
ステップＳ２５４において、防災・安全情報処理部２５２は、１セグメントの１フレームにおける複数の配信可能な地域のうち、未だ選択されていない地域を、次の地域として選択する。ステップＳ２５４の処理で次の地域が選択されると、処理は、ステップＳ２５２に戻される。そして、２回目のステップＳ２５２の処理では、ステップＳ２５４の処理で選択された地域（次の地域）が、あらかじめプリセット（登録）された地域と一致するかどうかが判定され、該当地域である場合には、受信装置２０は自動起動されることになる。
【０１８２】
そして、ステップＳ２５２乃至Ｓ２５４の地域ループの処理が繰り返されることで、１セグメントの１フレームにおける複数の配信可能な地域が全て選択されて、ステップＳ２５３において、全ての地域が選択されたと判定された場合、図２７の地域判定処理は終了され、処理は、図２６ステップＳ２３９の処理に戻される。
【０１８３】
以上、地域判定処理について説明した。
【０１８４】
（自動起動処理）
最後に、図２８のフローチャートを参照して、図２５のステップＳ２０２の処理に対応する自動起動処理の詳細な処理の内容について説明する。図２８の自動起動処理では、セグメント０に対して特別な処理は行われないものとする。なお、図２８の自動起動処理を実行する前提として、受信装置２０は、未起動状態（例えば電源オフ状態やスリープ状態）であるものとする。また、受信装置２０においては、その受信している地域が、あらかじめプリセット（登録）され、メモリ部（不図示）に記録されているものとする。
【０１８５】
ステップＳ２６１乃至Ｓ２６２においては、図２６のステップＳ２３１乃至Ｓ２３２と同様に、最初のフレームにおける最初のセグメントが選択されて、当該セグメントに対する処理が行われる。ステップＳ２６１乃至Ｓ２６２の処理が終了すると、処理は、ステップＳ２６３に進められる。
【０１８６】
ステップＳ２６３において、地震動情報処理部２５１は、ステップＳ２６２の処理で選択されたセグメントで、地震動情報が配信されているかどうかを判定する。ステップＳ２６３において、地震動情報が配信されていると判定された場合、処理は、ステップＳ２６４に進められる。
【０１８７】
ステップＳ２６４において、地震動情報処理部２５１は、地震動情報の配信先の地域が、あらかじめプリセット（登録）された地域と一致するかどうかを判定する。ステップＳ２６４において、地震動情報の該当地域であると判定された場合、処理は、ステップＳ２６５に進められる。ステップＳ２６５において、地震動情報処理部２５１は、地震動情報に従い、受信装置２０を自動起動させる。これにより、受信装置２０は、ユーザに対して、地震の発生を知らせることができる。
【０１８８】
ステップＳ２６３において地震動情報が配信されていないと判定された場合（Ｓ２６３の「No」）、又は、ステップＳ２６４において地震動情報の該当地域ではないと判定された場合（Ｓ２６４の「No」）、処理は、ステップＳ２６６に進められる。
【０１８９】
ステップＳ２６６乃至Ｓ２７３においては、図２６のステップＳ２３７乃至Ｓ２４４と同様に、防災・安全情報が配信されている場合であって、防災・安全情報の該当地域となるときには、当該防災・安全情報に従い、受信装置２０が自動起動される。なお、ステップＳ２６８においては、図２６のステップＳ２３９と同様に、１セグメントの１フレーム当たりに配信可能な地域が複数存在する場合には、それらの全ての地域と、プリセットされた地域とが比較され、該当地域であるかどうかが判定される（図２７の地域判定処理）。
【０１９０】
そして、フレームループの処理とセグメントループの処理が繰り返されることで、該当地域の地震動情報又は防災・安全情報が取得されることになる。
【０１９１】
以上、自動起動処理について説明した。この自動起動処理では、配信方式３の改良を用いているため、各セグメントごとに全ての地域（都市）に対し、防災・安全情報が配信されることになるので、確実に、防災・安全情報を取得することができる。
【０１９２】
なお、図１の伝送システム１は、ISDB（Integrated Services Digital Broadcasting）規格に準拠したデータ伝送のほか、例えば、ATSC（Advanced Television Systems Committee standards）やDVB（Digital Video Broadcasting）等の規格に準拠したデータ伝送、その他のデータ伝送に適用することができる。また、伝送路３０としては、地上波のほか、衛星回線やケーブルテレビジョン網等を採用することができる。
【０１９３】
＜６．コンピュータの構成＞
【０１９４】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２９は、上述した一連の処理をプログラムにより実行するコンピュータのハードウェアの構成例を示す図である。
【０１９５】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０１９６】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０１９７】
以上のように構成されるコンピュータ９００では、CPU９０１が、ROM９０２や記録部９０８に記憶されているプログラムを、入出力インターフェース９０５及びバス９０４を介して、RAM９０３にロードして実行することにより、上述した一連の処理が行われる。
【０１９８】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０１９９】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２００】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２０１】
なお、本技術の実施の形態は、上述した実施の形態に限定されるものではなく、本技術の要旨を逸脱しない範囲において種々の変更が可能である。
【０２０２】
また、本技術は、以下のような構成をとることができる。
【０２０３】
（１）
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして生成された前記フレームを、前記複数のセグメントごとに受信する受信部と、
前記第１の情報の配信先の地域に該当する場合に、前記フレームに含まれる前記第１の情報に基づいて、所定の処理を行う処理部と
を備える受信装置。
（２）
各エリアグループにおいて、前記第１の情報の配信先の地域の順番は、他のエリアグループに対して、ｎ個以上の地域がずらされている
（１）に記載の受信装置。
（３）
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
（２）に記載の受信装置。
（４）
前記第１の情報は、前記地域ごとの防災又は安全に関する防災安全情報であり、
前記処理部は、前記防災安全情報に基づいて、前記受信装置を起動させる
（１）乃至（３）のいずれか一項に記載の受信装置。
（５）
前記３セグメントのうち、特定のセグメントでは、前記第１の情報と異なる第２の情報として、地震に関する地震動情報が配信され、
前記処理部は、前記地震動情報の配信先の地域に該当する場合、前記フレームに含まれる前記地震動情報に基づいて、前記受信装置を起動させる
（３）又は（４）に記載の受信装置。
（６）
受信装置の受信方法において、
前記受信装置が、
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして生成された前記フレームを、前記複数のセグメントごとに受信し、
前記第１の情報の配信先の地域に該当する場合に、前記フレームに含まれる前記第１の情報に基づいて、所定の処理を行う
ステップを含む受信方法。
（７）
各エリアグループにおいて、前記第１の情報の配信先の地域の順番は、他のエリアグループに対して、ｎ個以上の地域がずらされている
（６）に記載の受信方法。
（８）
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
（７）に記載の受信方法。
（９）
前記第１の情報は、前記地域ごとの防災又は安全に関する防災安全情報であり、
前記防災安全情報に基づいて、前記受信装置を起動させる
（６）乃至（８）のいずれか一項に記載の受信方法。
（１０）
前記３セグメントのうち、特定のセグメントでは、前記第１の情報と異なる第２の情報として、地震に関する地震動情報が配信され、
前記処理部は、前記地震動情報の配信先の地域に該当する場合、前記フレームに含まれる前記地震動情報に基づいて、前記受信装置を起動させる
（８）又は（９）に記載の受信方法。
（１１）
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして、前記フレームを生成する生成部と、
前記複数のセグメントごとに、前記フレームを送信する送信部と
を備える送信装置。
（１２）
各エリアグループにおいて、前記第１の情報の配信先の地域の順番は、他のエリアグループに対して、ｎ個以上の地域がずらされている
（１１）に記載の送信装置。
（１３）
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
（１２）に記載の送信装置。
（１４）
前記第１の情報は、前記地域ごとの防災又は安全に関する防災安全情報である
（１１）乃至（１３）のいずれか一項に記載の送信装置。
（１５）
前記３セグメントのうち、特定のセグメントでは、前記第１の情報と異なる第２の情報として、地震に関する地震動情報が配信される
（１３）又は（１４）に記載の送信装置。
（１６）
送信装置の送信方法において、
前記送信装置が、
複数のセグメントごとに伝送される各フレームで、ｎ個（ｎは１以上の整数）の地域に対する第１の情報の配信を行う場合に、各セグメントにおいて前記第１の情報の配信を行う地域をまとめたグループであるエリアグループごとに、重複した地域が含まれるとともに、前記第１の情報の配信先の地域の順番が異なるようにして、前記フレームを生成し、
前記複数のセグメントごとに、前記フレームを送信する
ステップを含む送信方法。
（１７）
各エリアグループにおいて、前記第１の情報の配信先の地域の順番は、他のエリアグループに対して、ｎ個以上の地域がずらされている
（１６）に記載の送信方法。
（１８）
前記複数のセグメントは、３セグメントであり、
前記エリアグループごとの地域数をｍとした場合に、前記第１の情報の配信先の地域の順番をずらすための地域数αを、
α＝ceil（ｍ／９）×３
により算出する（ただし、ceil[x]は、xの小数点以下を切り上げた整数の値を表している）
（１７）に記載の送信方法。
（１９）
前記第１の情報は、前記地域ごとの防災又は安全に関する防災安全情報である
（１６）乃至（１８）のいずれか一項に記載の送信方法。
（２０）
前記３セグメントのうち、特定のセグメントでは、前記第１の情報と異なる第２の情報として、地震に関する地震動情報が配信される
（１８）に記載の送信方法。
【符号の説明】
【０２０４】
１  伝送システム，  １０，１０Ｂ  送信装置，  ２０  受信装置，  ３０  伝送路，  １２２  OFDMフレーム構成部，  １２３  選択部，  １２４  セグメント合成部，  １５１−１，１５１−２  エリアグループ順番変更部，  ２２４  情報受信処理部，  ２５１  地震動情報処理部，  ２５２  防災・安全情報処理部，  ９００  コンピュータ，  ９０１  CPU
【図１】
2016103781.tif 000003
【図２】
2016103781.tif 000004
【図３】
2016103781.tif 000005
【図４】
2016103781.tif 000006
【図５】
2016103781.tif 000007
【図６】
2016103781.tif 000008
【図７】
2016103781.tif 000009
【図８】
2016103781.tif 000010
【図９】
2016103781.tif 000011
【図１０】
2016103781.tif 000012
【図１１】
2016103781.tif 000013
【図１２】
2016103781.tif 000014
【図１３】
2016103781.tif 000015
【図１４】
2016103781.tif 000016
【図１５】
2016103781.tif 000017
【図１６】
2016103781.tif 000018
【図１７】
2016103781.tif 000019
【図１８】
2016103781.tif 000020
【図１９】
2016103781.tif 000021
【図２０】
2016103781.tif 000022
【図２１】
2016103781.tif 000023
【図２２】
2016103781.tif 000024
【図２３】
2016103781.tif 000025
【図２４】
2016103781.tif 000026
【図２５】
2016103781.tif 000027
【図２６】
2016103781.tif 000028
【図２７】
2016103781.tif 000029
【図２８】
2016103781.tif 000030
【図２９】
2016103781.tif 000031